(57)【要約】【課題】建設工事現場の床開口部（エレベーター用開口部など）の周囲などに仮設して安全対策として活用できる仮設用金網枠を提案する。【解決手段】外枠(1)と、この外枠(1)の上端に対して外枠長さ方向に一定範囲内で出退移動自在に外枠(1)に嵌合する内枠(2)と、外枠上端から引き出された内枠(2)を固定する固定手段(3)とを備えた仮設用金網枠であって、前記固定手段(3)は、内枠(2)の移動方向適当間隔おきの位置に設けられた係止孔(37)と、外枠(1)の表面側に設けられた係止具(12)とから構成され、この係止具(12)は、外枠(1)に対する内枠(2)の退入移動のみを前記係止孔(37)に付勢力で自動嵌合して阻止する一方向係止ピンと、当該係止ピンを前記係止孔(37)から抜き出し操作するための操作部を備えた構成。【選択図】図２
2011169008.tif 000002
【特許請求の範囲】
【請求項１】
外枠と、この外枠の上端に対して外枠長さ方向に一定範囲内で出退移動自在に外枠に嵌合する内枠と、外枠上端から引き出された内枠を固定する固定手段とを備えた仮設用金網枠であって、前記固定手段は、内枠の移動方向適当間隔おきの位置に設けられた係止孔と、外枠の表面側に設けられた係止具とから構成され、この係止具は、外枠に対する内枠の退入移動のみを前記係止孔に付勢力で自動嵌合して阻止する一方向係止ピンと、当該係止ピンを前記係止孔から抜き出し操作するための操作部を備えている、仮設用金網枠。
【請求項２】
外枠の裏面側の左右両側辺には、仮設水平鋼管に対して下向きに嵌合するフック部材が設けられ、これら各フック部材は、その外枠長さ方向に沿った支軸部の上端側からフック部が連設されたもので、外枠側に設けられた外枠長さ方向の筒状部材に前記支軸部が回転自在に挿通され、前記支軸部の上端側には、前記筒状部材の上端周縁によって支持される突起を突設し、前記筒状部材の上端周縁は、外枠側に倒れた倒伏姿勢にある前記フック部を、重力により外枠に対して略直角に起立する起立姿勢まで回動させる方向に傾斜させてある、請求項１に記載の仮設用金網枠。
【請求項３】
外枠の裏面側の外枠長さ方向の一端近傍位置には、倒伏姿勢にした前記フック部材よりも高さの高い位置決め用突起が突設され、外枠の裏面側の外枠長さ方向の他端近傍位置には位置決め用孔を設け、前記フック部材を倒伏姿勢にした同一構造の２つの仮設用金網枠を裏面側どうし上下逆向きに重ねたとき、各仮設用金網枠の前記位置決め用突起が相手側の仮設用金網枠の前記位置決め用孔に嵌合するように構成された、請求項２に記載の仮設用金網枠。
【請求項４】
前記外枠の左右両側辺には、内枠の左右両側辺が摺動自在に嵌合する溝形部材が配設され、前記固定手段の係止具は、外枠の前記左右両側溝形部材の上端寄り位置それぞれに設けられ、内枠の前記係止孔は、左右一対の前記係止具の一方向係止ピンが同時に嵌合できるように、当該内枠の左右両側辺それぞれに設けられている、請求項１〜３の何れか１項に記載の仮設用金網枠。
【請求項５】
外枠の前記左右両側溝形部材の下端寄り位置それぞれには、同一構造の２つの仮設用金網枠を表面側どうし上下逆向きに重ねたとき、各仮設用金網枠の左右一対の前記係止具が嵌まり込む状態で相手側の仮設用金網枠の外枠の前記左右両側溝形部材の表面に当接する受け座が突設されている、請求項４に記載の仮設用金網枠。
【請求項６】
内枠を外枠に対して退入限位置まで移動させた状態において、内枠の上端に係合して内枠進出移動を阻止するストッパーが、内枠の進出移動を許す退避姿勢に切換え自在に設けられている、請求項１〜５の何れか１項に記載の仮設用金網枠。
【請求項７】
外枠には、下端まで網部材が張設され、内枠は、外枠に対して退入限位置まで移動させたときに外枠の下端部材で受止められる左右両側枠材よりも上方に離れた位置に当該左右両側枠材どうしを連結する下端横桟が設けられ、この下端横桟より少なくとも下側には網部材が張設されていない、請求項１〜６の何れか１項に記載の仮設用金網枠。
【請求項８】
内枠には、下端よりも適当距離上方位置に把手が突設され、内枠を外枠に対して退入限位置まで移動させたときの前記把手から外枠下端までの外枠の領域には、内枠よりも正面側において網部材が張設されている、請求項１〜７の何れか１項に記載の仮設用金網枠。
【発明の詳細な説明】
【技術分野】
【０００１】
本発明は、建設工事現場の床開口部の周囲などに安全対策として仮設する仮設用金網枠に関するものである。
【背景技術】
【０００２】
この種の仮設用金網枠として、特許文献１に記載されるように、外枠と、この外枠の上端に対して外枠長さ方向に一定範囲内で出退移動自在に外枠に嵌合する内枠と、外枠上端から引き出された内枠を固定する固定手段と、外枠の裏面側に突設されたフック部材を備えた仮設用金網枠が知られている。この特許文献１に記載された従来の仮設用金網枠では、外枠上端から引き出された内枠を固定する固定手段として、内枠の下端部の左右両側部材をハンドル操作により外側に押し出すように変形させ、以て、当該内枠の下端部の左右両側部材を外枠の左右両側辺の溝形部材の内側面に圧接させることにより、外枠に対して内枠を任意の引き出し位置で固定する構成のものであった。
【先行技術文献】
【特許文献】
【０００３】
【特許文献１】特開平１１−７１９０４号公報
【発明の概要】
【発明が解決しようとする課題】
【０００４】
上記のような従来の仮設用金網枠における固定手段の構成では、内枠を無段階に固定できる利点はあるが、その固定操作に大きな力が必要であるにもかかわらず、内枠の下端部の左右両側部材と外枠の左右両側辺の溝形部材との間の摩擦力だけで内枠を固定しようとするものであるから、固定力が弱く、少しでもハンドルが緩むと固定力が無くなって内枠が重力で降下するという危険性があった。
【課題を解決するための手段】
【０００５】
本発明は、上記のような従来の問題点を解消することのできる仮設用金網枠を提案するものであって、請求項１に記載の本発明に係る仮設用金網枠は、後述する実施例との関係を理解し易くするために、当該実施例の説明において使用した参照符号を括弧付きで付して示すと、外枠(1)と、この外枠(1)の上端に対して外枠長さ方向に一定範囲内で出退移動自在に外枠(1)に嵌合する内枠(2)と、外枠上端から引き出された内枠(2)を固定する固定手段(3)とを備えた仮設用金網枠であって、前記固定手段(3)は、内枠(2)の移動方向適当間隔おきの位置に設けられた係止孔(37)と、外枠(1)の表面側に設けられた係止具(12)とから構成され、この係止具(12)は、外枠(1)に対する内枠(2)の退入移動のみを前記係止孔(37)に付勢力で自動嵌合して阻止する一方向係止ピン(16)と、当該係止ピン(16)を前記係止孔(37)から抜き出し操作するための操作部(18)を備えた構成になっている。
【０００６】
上記本発明を実施する場合、具体的には請求項２に記載のように、外枠(1)の裏面側の左右両側辺には、仮設水平鋼管に対して下向きに嵌合するフック部材(19)を設け、これら各フック部材(19)は、その外枠長さ方向に沿った支軸部(19a)の上端側からフック部(19b)が連設された構成として、外枠(1)側に設けられた外枠長さ方向の筒状部材(23)に前記支軸部(19a)を回転自在に挿通し、前記支軸部(19a)の上端側には、前記筒状部材(23)の上端周縁(23a)によって支持される突起(25)を突設し、前記筒状部材(23)の上端周縁(23a)は、外枠(1)側に倒れた倒伏姿勢にある前記フック部(19b)を、重力により外枠(1)に対して略直角に起立する起立姿勢まで回動させる方向に傾斜させることができる。この場合、請求項３に記載のように、外枠(1)の裏面側の外枠長さ方向の一端近傍位置には、倒伏姿勢にした前記フック部材(19)よりも高さの高い位置決め用突起(20)を突設し、外枠(1)の裏面側の外枠長さ方向の他端近傍位置には位置決め用孔(21)を設け、前記フック部材(19)を倒伏姿勢にした同一構造の２つの仮設用金網枠を裏面側どうし上下逆向きに重ねたとき、各仮設用金網枠の前記位置決め用突起(20)が相手側の仮設用金網枠の前記位置決め用孔(21)に嵌合するように構成することができる。
【０００７】
又、請求項４に記載のように、前記外枠(1)の左右両側辺には、内枠(2)の左右両側辺が摺動自在に嵌合する溝形部材(6,7)を配設し、前記固定手段(3)の係止具(12)は、外枠(1)の前記左右両側溝形部材(6,7)の上端寄り位置それぞれに設け、内枠(2)の前記係止孔(37)は、左右一対の前記係止具(12)の一方向係止ピン(16)が同時に嵌合できるように、当該内枠(2)の左右両側辺それぞれに設けておくことができる。この場合、請求項５に記載のように、外枠(1)の前記左右両側溝形部材(6,7)の下端寄り位置それぞれには、同一構造の２つの仮設用金網枠を表面側どうし上下逆向きに重ねたとき、各仮設用金網枠の左右一対の前記係止具(12)が嵌まり込む状態で相手側の仮設用金網枠の外枠(1)の前記左右両側溝形部材(6,7)の表面に当接する受け座(13)を突設しておくことができる。
【０００８】
更に、請求項６に記載のように、内枠(2)を外枠(1)に対して退入限位置まで移動させた状態において、内枠(2)の上端に係合して内枠進出移動を阻止するストッパー(22)を、内枠(2)の進出移動を許す退避姿勢に切換え自在に設けておくことができる。又、請求項７に記載のように、外枠(1)には、下端まで網部材(5)を張設し、内枠(2)には、外枠(1)に対して退入限位置まで移動させたときに外枠(1)の下端部材(8)で受止められる左右両側枠材(31,32)の下端よりも上方に離れた位置に当該左右両側枠材(31,32)どうしを連結する下端横桟(34)を設け、この下端横桟(34)より少なくとも下側には網部材(30)を張設していない構造とすることができる。
【０００９】
更に、請求項８に記載のように、内枠(2)には、下端よりも適当距離上方位置に把手(38)を突設し、内枠(2)を外枠(1)に対して退入限位置まで移動させたときの前記把手(38)から外枠下端までの外枠(1)の領域には、内枠(2)よりも正面側において網部材(41)を張設することができる。
【発明の効果】
【００１０】
請求項１に記載の本発明の仮設用金網枠によれば、従来のように引き出した内枠を無段階に固定することはできないが、内枠引き出し時に固定手段の一方向係止ピンが内枠側の係止孔に付勢力で嵌脱動作を繰り返すときの感触で内枠固定位置は容易に確認することができ、この確認に基づいて所定位置まで内枠が引き出されたときに内枠の引き出しを停止するだけで、内枠側の係止孔に対する外枠側の一方向係止ピンの嵌合により確実に内枠の退入移動を阻止させることができる。即ち、特別な固定操作が不要であるにもかかわらず、金網枠の全高を希望通りに確実に設定することができ、しかも係止孔に対する一方向係止ピンの嵌合により内枠の退入移動を阻止するので、一方向係止ピンを係止孔から抜き出さない限り内枠の落下は確実に防止でき、安全に使用することができる。
【００１１】
尚、この種の仮設用金網枠には、従来周知のように、外枠の裏面側の左右両側辺の上端近傍位置と下端近傍位置のそれぞれに、仮設水平鋼管に対して下向きに嵌合するフック部材が設けられるが、従来のものでは当該フック部材が固定されていて、常に外枠の裏面側に大きく突出していたので、使用していない金網枠を水平に重ねて積み重ねるようなときに前記フック部材が邪魔になり、安定良く積み重ねることができないばかりでなく、フック部材が他物との接触で変形し易い。而るに、請求項２に記載の構成によれば、前記フック部材を外枠の裏面に沿う倒伏姿勢に切り換えることができるので、上記のような従来の種々な問題点を解消できる。しかも、使用するためにこの金網枠を垂直に立てたとき、フック部材に作用する重力で当該フック部材を自動的に起立姿勢に切り換えて、その起立姿勢で保持することができるので、起立姿勢に手作業で切り換えると共に当該起立姿勢に手で保持した状態のフック部材を仮設水平鋼管に嵌合させなければならない場合と比較して、作業性が格段に向上する。
【００１２】
上記構成によれば、フック部材を倒伏姿勢に切り換えた状態の２つの仮設用金網枠を、その裏面側どうしを上下逆向きに重ねたとき、倒伏姿勢のフック部材が相手側の仮設用金網枠の外枠側辺に当接するので、安定性が悪く、横滑りして大きくずれる恐れがある。而るに、請求項３に記載の構成によれば、一方の仮設用金網枠の位置決め用突起を他方の仮設用金網枠の位置決め用孔に嵌合させて、上下に重なる２つの仮設用金網枠が横滑りしてずれてしまうのを確実に防止し、積み重ね状態を安定的に維持させることができる。
【００１３】
又、請求項４に記載の構成によれば、引き出した内枠を左右一対の係止具により外枠に対し安定良く固定することができ、外枠に対し内枠が不測に傾く恐れがない。この場合、請求項５に記載の構成によれば、２つの仮設用金網枠を、その表面側どうしを上下逆向きに重ねたとき、各仮設用金網枠の左右一対の係止具が相手側の仮設用金網枠の外枠両側辺に直接当接するのを、当該相手側の仮設用金網枠の外枠両側辺に突設された左右一対の受け座により防止することができるので、係止具の損傷も防止できると共に、これら左右一対の受け座を介して上下２つの仮設用金網枠どうしを安定良く重ねることができる。
【００１４】
本発明の仮設用金網枠は、外枠に対して内枠を自由に引き出せるものであるから、内枠を外枠に対して退入限位置まで移動させた状態で運搬するようなとき、誤って上下逆向きに持ち上げると、内枠が重力で落下することになり、危険である。而るに、請求項６に記載の構成によれば、使用しないときには、内枠を外枠に対して退入限位置まで移動させた状態でストッパーを内枠進出移動阻止状態に切り換えておけば、上記のような危険な事態を招く恐れがなくなり、安全に取り扱うことができる。
【００１５】
又、本発明の仮設用金網枠では、使用状態から内枠を退入限位置まで移動させるために係止具の一方向ピンを内枠側の係止孔から抜き出す操作を行なったとき、内枠が重力で勢い良く降下する恐れがある。このとき外枠の下端内側領域に足先を入れていると、落下する内枠で足先が挟まる事故が考えられる。而るに、請求項７に記載の構成によれば、仮に、外枠の下端内側領域に足先を入れたとしても、内枠を退入限位置まで移動させたときに、その足先よりも上方位置で内枠の下端横桟が停止するように当該下端横桟の位置を設定しておきさえすれば、内枠の構成部材（網部材や横桟など）によって足先が挟まる事故が未然に防止できる。
【００１６】
更に、請求項８に記載の構成によれば、内枠を外枠に対して退入限位置まで移動させたときの内枠側の把手から外枠下端までの外枠の領域に、内枠よりも正面側において張設された網部材によって、内枠が落下してくる領域内に足先を入れること自体が阻止されるので、安全性を一層高めることができる。この場合、前記外枠の領域に張設された網部材との間に内枠の退入空間を形成するように、内枠よりも裏面側においても外枠に網部材を張設しておけば、外枠の裏面側から足先を入れることも阻止でき、より一層安全性を高めることができる。
【図面の簡単な説明】
【００１７】
【図１】縮小状態の仮設用金網枠全体を示す正面図である。
【図２】Ａ図は伸長状態の仮設用金網枠全体を示す正面図、Ｂ図はその部分拡大図である。
【図３】Ａ図は外枠の左半分の裏面図、Ｂ図は外枠の左側面図、Ｃ図は外枠の左半分の正面図である。
【図４】Ａ図は内枠の右半分の正面図、Ｂ図は内枠の右半分の裏面図、Ｃ図は内枠の部分拡大縦断側面図である。
【図５】Ａ図は外枠の平面図、Ｂ図は内枠の横断平面図である。
【図６】Ａ図は縮小状態の仮設用金網枠全体を示す平面図、Ｂ図は同要部の横断平面図である。
【図７】起立姿勢の１つのフック部材とストッパーを含む部分の一部縦断正面図である。
【図８】倒伏姿勢の１つのフック部材と位置決め用突起を含む部分の正面図である。
【図９】起立姿勢の１つのフック部材と位置決め用突起を含む部分の縦断側面図である。
【図１０】固定手段を示す要部の縦断側面図である。
【図１１】使用しない縮小状態の仮設用金網枠を積み重ねるときの状況を説明する側面図である。
【図１２】変形例を示す要部の縦断側面図である。
【発明を実施するための形態】
【００１８】
以下、添付図に基づいて本発明の一実施例を説明すると、本発明の仮設用金網枠は、外枠１と内枠２、及び固定手段３から構成されている。外枠１は、図３及び図５Ａに示すように、矩形枠組み構造体４と、この矩形枠組み構造体４に張設されたエキスパンドメタルなどから成る網部材５から構成されている。矩形枠組み構造体４は、凹溝部の開放側が互いに対面するように配置された左右一対の溝形部材６，７、この両溝形部材６，７の下端どうしを連結すると共に各溝形部材６，７の凹溝部の下端を閉じる下端横桟８、両溝形部材６，７の長さ方向中間２箇所を裏面側で連結する帯状板から成る中間横桟９，１０、及び両溝形部材６，７の上端どうしを裏面側で連結する帯状板から成る上端横桟１１から構成され、網部材５は、各横桟８〜１１の垂直内側面と両溝形部材６，７の裏面側の溝側板の内側面に接するように張設されている。
【００１９】
又、外枠１の正面側には、固定手段３を構成する左右一対の係止具１２と左右一対の受け座１３とが設けられている。左右一対の係止具１２は、両溝形部材６，７の上端寄りの位置（中間横桟９が架設された位置）の正面側の溝側板に取り付けられ、左右一対の受け座１３は、左右一対の係止具１２と外枠長さ方向に関して上下対称となる位置の正面側の溝側板に取り付けられている。これら受け座１３は、帯状板を台形状に曲げ加工したもので、その凹部が互いに対面する向きに取り付けられ、その高さは、前記係止具１２の高さより少し高い。各係止具１２は、図１０にも示すように、溝形部材６，７の正面側の溝側板６ａ，７ａの外側に固着された固定ナット１４にネジ結合されてロックナット１５により固定されたもので、溝側板６ａ，７ａに対して直角方向にスライド自在に内装された一方向係止ピン１６と、この一方向係止ピン１６の先端１６ａを前記溝側板６ａ，７ａの内側へ突出させるように内装されたコイルバネ１７と、一方向係止ピン１６の外端に連設されたフランジ状操作部１８とから構成され、一方向係止ピン１６の先端１６ａは、その端面が斜め下向きに面するように斜めにカットされている。而して、操作部１８により一方向係止ピン１６をコイルバネ１７の付勢力に抗して後退移動させることにより、その先端１６ａを溝側板６ａ，７ａの内側から退出させることができる。
【００２０】
外枠１の裏面側には、４つのフック部材１９、１つの位置決め用突起２０、１つの位置決め用孔２１、及び１つのストッパー２２が設けられている。４つのフック部材１９は、両溝形部材６，７の上端近傍位置と、下端から適当距離上方に離れた位置の裏面側の溝側板に取り付けられ、位置決め用突起２０は、片側の溝形部材７の上端の裏面側の溝側板に取り付けられ、位置決め用孔２１は、前記溝形部材７の下端の裏面側の溝側板とこれに重なる下端横桟８の垂直板部とにわたって穿設され、１つのストッパー２２は、反対側の溝形部材６の上端の裏面側の溝側板に取り付けられている。
【００２１】
各フック部材１９は、図７〜図９に示すように、１本の丸棒材を曲げ加工して、外枠長さ方向に沿った支軸部１９ａと、この支軸部１９ａの上端側から連なるフック部１９ｂとを形成したもので、溝形部材６，７の裏面側の溝側板６ｂ，７ｂの外側に固着された外枠長さ方向の筒状部材２３に前記支軸部１９ａが回転自在に挿通され、この支軸部１９ａの下端側面に抜け止め用ネジ２４が取り付けられている。又、支軸部１９ａの上端側には、前記筒状部材２３より上側でフック部１９ｂのある側に突出する突起２５が設けられ、筒状部材２３の上端は、フック部１９ｂが外枠１に対して直角に起立した起立姿勢にあるときに前記突起２５が最も下降した位置で支持されるように斜めにカットされて、Ｖ字形の上端傾斜周縁２３ａを構成している。
【００２２】
従って、外枠１が垂直に立てられているとき、重力によって降下しようとするフック部材１９は、その突起２５が筒状部材２３の上端傾斜周縁２３ａの傾斜下方に滑動することにより支軸部１９ａの周りに回転して、図７及び図９に示すように、フック部１９ｂが外枠１に対して直角に起立した起立姿勢に自動的に切り換えられ、且つその起立姿勢に保持されることになる。又、この状態の外枠１をフック部材１９が上になる向きで水平に倒すと、筒状部材２３の上端傾斜周縁２３ａに沿った突起２５の滑動を伴って、フック部材１９は重力により支軸部１９ａの周りに回転して、図８に示すように、フック部１９ｂが外枠１に沿った倒伏姿勢に切り換わる。
【００２３】
位置決め用突起２０は、図８及び図９に示すように、溝形部材７の裏面側の溝側板７ｂに内側から挿通されてナット２６ｂにより固定されたボルト２６ａから構成されたもので、その高さは、外枠１に沿った倒伏姿勢にあるフック部材１９の高さ、具体的には筒状部材２３の高さよりの少し高い。位置決め用孔２１は、フック部材１９のある側を対面させるように２つの外枠１を上下逆向きに重ねたとき、相手側の外枠１の前記位置決め用突起２０（ボルト２６ａの軸端部）が嵌合できるように配設されている。
【００２４】
ストッパー２２は、図５Ａ、図６Ａ、及び図７に示すように、溝形部材６の裏面側の溝側板６ｂの外側に蝶ボルト２７により取り付けられる取付け板部２８ａと、この取付け板部２８ａの先端から直角に折曲された制止板部２８ｂとを備えたＬ形板から構成され、取付け板部２８ａの蝶ボルト２７が貫通する取付け孔は、この取付け板部２８ａの長さ方向に長い長孔となっており、蝶ボルト２７を弛めてストッパー２２を蝶ボルト２７の周りで回すと共に蝶ボルト２７に対して出し入れすることにより、図６Ａ及び図７に実線で示すように、制止板部２８ｂが溝形部材６の凹溝部の上端を塞ぐ制止姿勢と、図５Ａ及び図７の仮想線で示すように、制止板部２８ｂが溝形部材６の凹溝部の上端から横側方に退避した退避姿勢とに切り換えることができ、蝶ボルト２７の締め付けにより、それぞれの姿勢においてストッパー２２を固定することができる。
【００２５】
内枠２は、図４及び図５Ｂに示すように、矩形枠組み構造体２９とこの矩形枠組み構造体２９に張設されたエキスパンドメタルなどの網部材３０から構成されている。矩形枠組み構造体２９は、アングル材から成る左右一対の側枠３１，３２、この両側枠３１，３２の上端どうしを連結するアングル材から成る上端横桟３３、下端から適当距離上方の位置で両側枠３１，３２を連結する下端横桟３４、この下端横桟３４より適当距離上方の位置で両側枠３１，３２を連結する把手取付け用横桟３５、この把手取付け用横桟３５と上端横桟３３との中間位置で両側枠３１，３２を連結する中間横桟３６から構成され、網部材３０は、側枠３１，３２間で上端横桟３３と把手取付け用横桟３５との間の領域に、各部材の正面側の内側に接するように張設されている。
【００２６】
内枠２の側枠３１，３２には、その正面板部３１ａ，３２ａにおいて、矩形の係止孔３７が側枠３１，３２の下端から等間隔おきに穿設され、これら係止孔３７と外枠１側の左右一対の係止具１２とで固定手段３が構成されている。又、把手取付け用横桟３５の中央位置には、正面側に突出するように丸棒材を門形に曲げ加工した把手３８が、把手取付け用横桟３５の裏面側から螺合されるナット３９ａ，３９ｂにより取り付けられている。尚、この把手３８は、内枠２を後述するように外枠１に組み込んだ後に取り付けられるものであるから、図２Ｂ及び図５Ｂに示すように、把手取付け用横桟３５の下側辺には、把手３８を固定するナット３９ａ，３９ｂを表側から容易に操作できるように、各ナット３９ａ，３９ｂの位置に合わせて切欠き凹部４０ａ，４０ｂが形成されている。又、図４Ｃに示すように、下端横桟３４と把手取付け用横桟３５の下半部は、内側へ斜めに折曲して、この内枠２が不測に降下したときに作業者の手指を傷つけ難いようにしている。
【００２７】
上記構成の内枠２は、把手３８が取り付けられる前に、外枠１に組み込まれる。即ち、外枠１のストッパー２２を図５Ａに示すように退避姿勢に切り換えてある状態で、外枠１の上端側から内枠２を、その両側枠３１，３２が外枠１の両溝形部材６，７の凹溝部内に嵌合するように挿入する。この内枠２の下端、即ち、両側枠３１，３２の下端が外枠１の下端横桟８で支持される退入限位置まで内枠２が挿入されたとき、当該内枠２の上端横桟３３の上端面は、外枠１の上端横桟１１の上端縁と略面一の状態にある。従って、この状態で外枠１側のストッパー２２を図６Ａに示すように制止姿勢に切り換えて固定することにより、外枠１を上下逆向きにしても、内枠２はストッパー２２で受止められて外枠１から落下することはない。尚、外枠１に内枠２を上記のように組み込むとき、固定手段３の両係止具１２は、そのフランジ状操作部１８により一方向係止ピン１６を後退させて、先端１６ａが内枠２の両側枠３１，３２と干渉しない状態にしておくことは勿論である。
【００２８】
上記のように外枠１に内枠２を組み込んだならば、内枠２の把手取付け用横桟３５に把手３８を取り付ける。このとき、作業者は工具を把手取付け用横桟３５の下側から当該把手取付け用横桟３５の内側へ差し込んでナット３９ａ，３９ｂを操作しなければならないが、把手取付け用横桟３５に設けられた切欠き凹部４０ａ，４０ｂがその操作を容易にする。
【００２９】
図１に示すように、内枠２が外枠１に対して退入限位置まで挿入された縮小状態において、この仮設用金網枠を使用現場まで運搬するが、このとき、ストッパー２２の存在により、内枠が外枠１内から不測に突出したり、脱落することはないので、安全に運搬作業を行なえる。現場では、先に示した特許文献１によって周知なように、床に設けられた開口部の周囲に前以って上下２段に鋼管が水平に仮設されているので、この上下２段の仮設水平鋼管に外枠１の裏面側の４つのフック部材１９を上から下向きに嵌合させ、仮設用金網枠１を垂直に配置する。このようにして床開口部の周囲を取り囲むように仮設用金網枠を配置したならば、天井側構造物と仮設用金網枠との間の空間を塞ぐように、各仮設用金網枠の内枠２を外枠１に対して上方に引き上げる。
【００３０】
フック部材１９を仮設水平鋼管に嵌合させるときは、仮設用金網枠（外枠１）は垂直に立てられているので、先に説明した通り、当該フック部材１９は重力で自動的にフック部１９ｂが外枠１に対して起立する起立姿勢に切り換えられると共に当該起立姿勢に保持されるので、手先でフック部材１９の向きを起立姿勢に保持しなくとも、当該フック部材１９のフック部１９ｂを容易に仮設水平鋼管に嵌合させることができる。
【００３１】
外枠１に対して内枠２を引き出して仮設用金網枠を伸長させるときは、ストッパー２２を制止姿勢から図５Ａに示す退避姿勢に切り換えて固定し、外枠１から正面側に突出している把手３８を利用して内枠２を持ち上げ、上昇させる。このとき、左右一対の係止具１２の一方向係止ピン１６は、コイルバネ１７の付勢力で内枠２の両側枠３１，３２の表面上を相対的に摺動し、係止孔３７がこの係止具１２の位置を上方に通過するときには、当該一方向係止ピン１６がコイルバネ１７の付勢力で一時的に係止孔３７内に嵌合するが、その先端１６ａの傾斜により再び押し出される。従って、内枠２を押し上げる作業者は、係止具１２の一方向係止ピン１６が係止孔３７に嵌合した時期を感触及び動作音で確認できるので、内枠２が所定高さ（内枠２の上端が天井側構造物との空間を塞ぐ高さ）に達して且つ係止具１２の一方向係止ピン１６が係止孔３７に嵌合したときに、内枠２の押し上げ操作を停止することにより、所定高さまで押し上げた内枠２を外枠１に対して落下不能な状態に固定することができる。図２は、内枠２が外枠１に対する進出限位置まで引き上げられて、固定手段３により外枠１に固定された状態を示している。
【００３２】
現場から仮設用金網枠を回収するときは、先ず、固定手段３により伸長状態で固定されている仮設用金網枠を縮小させる。即ち、固定手段３の左右一対の係止具１２の一方向係止ピン１６を、フランジ状操作部１８によりコイルバネ１７の付勢力に抗して後退移動させ、その先端１６ａを内枠２側の左右一対の係止孔３７から離脱させる。この結果、重力で内枠２は外枠１に対して降下し、図１に示す退入限位置に達して、仮設用金網枠は縮小状態になる。このとき、仮に作業者の足先が外枠１の下端横桟８の上に乗っていたとしても、退入限位置に達した内枠２の下端横桟３４は、外枠１の下端横桟８より上方に離れているので、当該内枠２の下端横桟３４が作業者の足先を直撃する恐れはない。
【００３３】
仮設用金網枠を縮小したならば、当該仮設用金網枠を安全に運搬できるように、ストッパー２２を制止姿勢に切り換えて固定しておく。そして運搬や格納保管のために、縮小状態の仮設用金網枠を水平に倒して積み重ねることになるが、このとき、図１１に示すように、倒伏姿勢のフック部材１９を上側にした仮設用金網枠Ａの上に、倒伏姿勢のフック部材１９を下側にすると共に仮設用金網枠Ａに対して外枠１の長さ方向の上下を逆向きにした仮設用金網枠Ｂを重ね、この仮設用金網枠Ｂの上に、倒伏姿勢のフック部材１９を上側にすると共に仮設用金網枠Ｂに対して外枠１の長さ方向の上下を逆にした仮設用金網枠、即ち、前記仮設用金網枠Ａを重ねるというように、Ａ，Ｂ，Ａ，Ｂ……の順番に積み重ねることにより、それぞれの倒伏姿勢のフック部材１９を間に挟む状態の仮設用金網枠Ａと仮設用金網枠Ｂとの間では、それぞれの位置決め用突起２０を相手側の仮設用金網枠の位置決め用孔２１に嵌合させて、仮設用金網枠Ａ，Ｂ間の相対的な水平方向の滑りを防止することができ、それぞれの係止具１２を間に挟む状態の仮設用金網枠Ｂと仮設用金網枠Ａとの間では、それぞれの係止具１２を相手側の仮設用金網枠の受け座１３の内側に嵌合させると共にそれぞれの受け座１３を相手側の仮設用金網枠の外枠１の両溝形部材６，７の表面に当接させて、仮設用金網枠Ｂ，Ａ間の相対的な水平方向の滑りを防止することができる。又、係止具１２が相手側の仮設用金網枠と直接接触してその重量を受けることもない。
【００３４】
即ち、縮小状態の仮設用金網枠を上記のように積み重ねることにより、横滑りによる荷崩れを防止できると共に、機能部品である各係止具１２も保護できる。尚、仮設用金網枠Ａの上に仮設用金網枠Ｂを重ねるとき、それぞれのフック部材１９が相手側の仮設用金網枠のフック部材１９と直接重ならないで、外枠長さ方向に互いに位置がずれるように、上側左右一対のフック部材１９は外枠１の上端近傍位置とし、下側左右一対のフック部材１９は、外枠１の上端から上側のフック部材１９の下端までの距離以上の距離だけ、外枠１の下端から上方に離れた位置に配設している。
【００３５】
尚、上記構成では、外枠１の網部材５は、内枠２より裏面側にのみ張設されているが、図１２に示すように、外枠１に対して内枠２を退入限位置まで移動させて、仮設用金網枠を縮小状態にしたとき、内枠２側の把手３８（把手取付け用横桟３５）より下側の領域で内枠２より正面側に網部材４１を張設することにより、作業者の足先が内枠２の昇降経路内に入り込むのを完全に防止することができる。具体的には、前記網部材４１は、内枠２側の把手３８（把手取付け用横桟３５）より少し下側で外枠１の両溝形部材６，７における正面側の溝側板６ａ，７ａ間に架設した帯状板から成る横桟４２、外枠１の下端において両溝形部材６，７における正面側の溝側板６ａ，７ａ間に架設した帯状板から成る横桟４３（下端横桟８にこの横桟４３に相当する部分を設けても良い）、及び両溝形部材６，７における正面側の溝側板６ａ，７ａで囲まれた領域に張設すれば良い。この場合、内枠２より裏面側において外枠１の全域に張設された前記網部材５は、そのまま残しても良いし、前記網部材４１と重なる領域の網部材５を無くしても良い。
【産業上の利用可能性】
【００３６】
本発明の仮設用金網枠は、建設工事現場の床開口部（エレベーター用開口部など）の周囲などに安全対策として仮設する仮設用金網枠として活用できる。
【符号の説明】
【００３７】
１    外枠
２    内枠
３    固定手段
４，２９    矩形枠組み構造体
５，３０，４１    網部材
６，７    溝形部材
６ａ，７ａ    正面側の溝側板
６ｂ，７ｂ    裏面側の溝側板
８〜１１，３３〜３６，４２，４３    横桟
１２    係止具
１３    受け座
１６    一方向係止ピン
１７    コイルバネ
１８    フランジ状操作部
１９    フック部材
１９ａ    支軸部
１９ｂ    フック部
２０    位置決め用突起
２１    位置決め用孔
２２    ストッパー
２３    筒状部材
２３ａ    Ｖ形の上端傾斜周縁
３１，３２    側枠
３７    係止孔
３８    把手
【図１】
2011169008.tif 000003
【図２】
2011169008.tif 000004
【図３】
2011169008.tif 000005
【図４】
2011169008.tif 000006
【図５】
2011169008.tif 000007
【図６】
2011169008.tif 000008
【図７】
2011169008.tif 000009
【図８】
2011169008.tif 000010
【図９】
2011169008.tif 000011
【図１０】
2011169008.tif 000012
【図１１】
2011169008.tif 000013
【図１２】
2011169008.tif 000014